(57)【要約】【課題】ばね部材により挟持部材を付勢させて吊りひもを挟持するのではなく、吊り下げ対象となる物品の自重により吊りひもを挟持して、この吊りひものずれを防止することができ、また、使用時に美観が損なわれない物品吊り下げ具を提供する。【解決手段】壁面に固定される基部２の下端に上方へ向けて折り返されるフック部３が形成され、基部２前面と対向するフック部３の内側に挟持部材４が上下方向にスライド可能に設けられ、挟持部材４の下端に吊り下げ対象となる物品の吊りひも２１を掛ける吊りひも掛止部２２が設けられ、この吊りひも掛止部２２に吊りひも２１を掛けることにより、挟持部材４が下方にスライドして吊りひも２１を基部２前面との間で挟持する。【選択図】図１
2006288817.tif 000002
【特許請求の範囲】
【請求項１】
壁面に固定される基部２の下端に上向きに折り返されるフック部３を形成し、吊り下げ対象となる物品の吊りひもを前記フック部３に掛けて当該物品を支持する物品吊り下げ具において、
前記基部２前面と対向する前記フック部３の内側に傾斜面１１を形成し、この傾斜面１１に沿って挟持部材４を上下方向にスライド可能に取り付け、この挟持部材４に前記基部２前面と対向する挟持面１６を形成し、この挟持面１６に前記基部２に向かって突き出した吊りひも掛止部２２を設け、前記挟持部材４をばね部材１５により上方に付勢し、前記挟持面１６と前記基部２前面との間隔を、前記挟持部材４が前記傾斜面１１の上端に保持された状態では、前記吊りひもの径よりも大きく設定し、前記挟持部材４が前記傾斜面１１の下端にある状態では、前記吊りひもの径よりも小さく設定したことを特徴とする物品吊り下げ具。
【請求項２】
前記吊りひも掛止部２２を前記基部２に設けられた上下方向のスライド孔８に挿入し、前記挟持部材４が前記傾斜面１１の下端にスライドした場合に、前記吊りひも掛止部２２をその先端が前記基部２背面から突き出さないように形成したことを特徴とする請求項１に記載の物品吊り下げ具。
【請求項３】
前記挟持部材４の挟持面１６を前記基部２前面と平行となるように形成したことを特徴とする請求項１または請求項２に記載の物品吊り下げ具。
【請求項４】
前記基部２に盛上部１０を形成し、この盛上部１０にピン用固定穴６を設け、前記ピン用固定穴６に打ち込んだピンの頭部が、前記盛上部１０の両側に張り出すようにしたことを特徴とする請求項１または請求項３に記載の物品吊り下げ具。
【発明の詳細な説明】
【技術分野】
【０００１】
この発明は、額縁や商品などの物品を壁面等に吊り下げるための物品吊り下げ具に関するものである。
【背景技術】
【０００２】
額縁や商品などの物品を壁面に吊り下げて展示等をする際に用いられる一般的な物品吊り下げ具は、上向きに折り曲げられたフック部を有し、このフック部に物品の吊りひもが単に掛けられているだけであるので、何かの拍子に物品に力が加わった場合、吊りひもがずれて物品が容易に傾いてしまう。このため、従来から物品の吊りひものずれを防止することができる物品吊り下げ具が知られている（特許文献１）。
【０００３】
上記の従来の物品吊り下げ具は、図６（ａ）に示すように、壁面等に固定する基部３１と、前記基部３１の下端から上向きに折り曲げられるフック部３２と、基部３１の上部に軸３３により支持され下方に延びる挟持部材３４とから構成される。フック部３２の前側にスリット３５が形成され、基部３１の軸３３に挟持部材３４を前方に付勢するばね３６が取り付けられる。挟持部材３４は上方に湾曲した湾曲部３７を有し、ばね３６により前方に付勢されて、湾曲部３７の一部がスリット３５から前方に突出するものである。
【０００４】
前記フック部３２の先端と挟持部材３４の先端との間に物品の吊りひも３８を掛けると、図６（ｂ）の仮想線で示したように、物品の重量により挟持部材３４が後退させられる。後退する挟持部材３４はばね３６により前方に付勢されるため、挟持部材３４の湾曲部３７が吊りひも３８をフック部３２のスリット３５に押し付け、この吊りひも３８が湾曲部３７とスリット３５との間に食い込むように挟まれる。これにより、吊りひも３８に摩擦力が働き、吊りひも３８のずれを防止することができる。
【特許文献１】実用新案登録第３０５０８２７号公報
【発明の開示】
【発明が解決しようとする課題】
【０００５】
しかし、前記特許文献１に記載の物品吊り下げ具は、ばね３６により前方に付勢される挟持部材３４が吊りひも３８をフック部３２のスリット３５に押し付けるものであるため、物品の重量によっては、ばね３６の付勢力を上回る荷重が吊りひも３８に加わった場合、吊りひも３８がスリット３５を越えてフック部３２の底部にずり落ちてしまう。しかし、フック部３２の底部では、吊りひも３８を挟持部材３４がフック部３２のスリット３５に押し付けることができないため、吊りひも３８に働く摩擦力が低下し、吊りひも３８が位置ずれを起こすという問題があった。
【０００６】
また、図６（ａ）に示すように、フック部３２のスリット３５から挟持部材３４の湾曲部３７だけでなく、物品の吊りひも３８も露出し、使用時の美観が損なわれるという問題があった。
【０００７】
そこで、この発明は、ばね部材により挟持部材を付勢させて吊りひもを挟持するのではなく、吊り下げ対象となる物品の自重により吊りひもを挟持して、この吊りひものずれを防止することができ、また、使用時に美観が損なわれない物品吊り下げ具を提供することを課題とする。
【課題を解決するための手段】
【０００８】
前記の課題を解決するために、この発明では、壁面に固定される基部の下端に上向きに折り返されるフック部を形成し、吊り下げ対象となる物品の吊りひもを前記フック部に掛けて当該物品を支持する物品吊り下げ具において、前記基部前面と対向する前記フック部の内側に傾斜面を形成し、この傾斜面に沿って挟持部材を上下方向にスライド可能に取り付け、この挟持部材に前記基部前面と対向する挟持面を形成し、この挟持面に前記基部に向かって突き出した吊りひも掛止部を設け、前記挟持部材をばね部材により上方に付勢し、前記挟持面と前記基部前面との間隔を、前記挟持部材が前記傾斜面の上端に保持された状態では、前記吊りひもの径よりも大きく設定し、前記挟持部材が前記傾斜面の下端にある状態では、前記吊りひもの径よりも小さく設定した構成を採用した。
【０００９】
この構成によると、前記ばね部材により傾斜面の上端に付勢された前記挟持部材の吊りひも掛止部に物品の吊りひもが掛けられ、この吊りひもに物品による荷重が掛かると、挟持部材がフック部の傾斜面に沿って下方にスライドし、この挟持部材が傾斜面の下端までスライドする途中で、挟持部材の挟持面と基部前面とにより吊りひもが挟まれる。
【００１０】
また、前記吊りひも掛止部を前記基部に設けられた上下方向のスライド孔に挿入し、前記挟持部材４が前記傾斜面１１の下端にスライドした場合に、前記吊りひも掛止部をその先端が前記基部背面から突き出さないように形成した構成を採用することもできる。
【発明の効果】
【００１１】
以上のように、この発明の物品吊り下げ具は、物品の自重により、挟持部材がフック部の傾斜面に沿って下方にスライドし、この挟持部材が傾斜面の下端までスライドする途中で、挟持部材の挟持面と基部前面とにより吊りひもが挟まれるため、吊りひものずれを防止することができる。
【００１２】
また、フック部の傾斜面を挟持部材が下方にスライドし、挟持部材の挟持面と基部前面との間で吊りひもが挟まれるため、フック部の前側に吊りひもが露出せず、物品吊り下げ具の使用時に美観が損なわれることがない。
【００１３】
さらに、挟持部材の吊りひも掛止部に荷重が掛からない場合には、挟持部材がばね部材の弾性によりフック部の傾斜面の上端に保持される。これにより、挟持部材が傾斜面の上端にある状態では、挟持部材の挟持面と基部前面との間隔が物品の吊りひもの径より大きくなるため、物品の吊りひもの掛け外しを容易にすることができる。
【発明を実施するための最良の形態】
【００１４】
以下、この発明の実施形態を添付図面に基づいて説明する。
物品吊り下げ具１は、図１に示すように、壁面等に固定する基部２と、前記基部２の下端から上向きに傾斜するように形成されたフック部３と、このフック部３の内側に沿ってスライド可能に設けられた挟持部材４とから構成される。
【００１５】
前記基部２は、板状に形成され、その前面上部にはこの基部２を壁面などに固定するための固定穴５が複数設けられる。この複数の固定穴５は、ピンを打ち込んで物品吊り下げ具１を固定するためのピン用固定穴６と、頭部のあるねじ（例えば木ねじなど）をねじ込んで物品吊り下げ具１を固定するねじ用固定穴７とからなる。
【００１６】
前記ピン用固定穴６は、前記基部２から盛り上がった盛上部１０に設けられ、壁面に対して直角、および斜めに形成される。前記盛上部１０は、その両側にピン用固定穴６に打ち込まれるピンの頭部が張り出すように形成される。このピン用固定穴６にピンを打ち込むことで、壁面に物品吊り下げ具１を強固に固定することができる。
【００１７】
また、打ち込んだピンの頭部が、前記盛上部１０の両側から張り出しているため、ピンを抜き取る場合、ペンチなどの工具を用いてピンの頭部を挟んで、容易にピンを抜き取ることができる（図４参照）。
【００１８】
基部２の下部には、図２に示すように、前記挟持部材４が前記フック部３に沿ってスライドする際に、後述する挟持部材４の吊りひも掛止部２２が上下方向にスライド可能に差し込まれるスライド孔８が設けられる。
【００１９】
このスライド孔８は、基部２の左右方向の中心線の両側に２箇所設けられ、各スライド孔８、８の上端にはストッパー９、９がそれぞれ設けられる。
【００２０】
このストッパー９は、スライド孔８にガイドされる後述する挟持部材４の吊りひも掛止部２２が突き当たることにより、挟持部材４がフック部３の先端から抜け出ないようにするものである。
【００２１】
前記フック部３は前記基部２の下端から上向きに折り曲げられ、基部２と一体に形成され、前記基部２前面と対向する内側に傾斜面１１を有する。前記フック部３の内部に前記挟持部材４を上下方向にスライドさせるためのスライド溝１３が設けられる。
【００２２】
このスライド溝１３は、図３（ａ）に示すように、フック部３の上端から下端まで形成され、フック部３の傾斜面１１にその上端から下端付近まで開口したスリット１２を有する。前記スライド溝１３に後述する挟持部材４の係合部１８が嵌め合わされることにより、挟持部材４をフック部３の傾斜面１１に沿って上下方向にスライドさせることができる。このスライド溝１３の下端にばね受け突起１４が設けられ、このばね受け突起１４に挟持部材４を傾斜面１１に沿って上向きに付勢するばね部材１５が装着される(図２参照)。
【００２３】
前記挟持部材４は、図３（ｃ）に示すように、前記基部２前面と対向する挟持面１６と、前記フック部３の傾斜面１１に接触するスライド面１７とを有する。この挟持面１６は前記基部２前面に平行に形成され、図４に示すように、挟持部材４がフック部３の傾斜面１１に沿って上下方向にスライドした場合、その挟持面１６を常に基部２前面に対して平行移動させることができる。図５に示すように、挟持部材４がフック部３の傾斜面１１の上端にある状態での、挟持面１６と前記基部２前面との間隔Ｗ１は、物品の吊りひも２１の径Ｗよりも大きく設定される。また、挟持部材４がフック部３の傾斜面１１の下端にある状態での、挟持面１６と前記基部２前面との間隔Ｗ２は、前記吊りひも２１の径Ｗよりも小さく、すなわち、Ｗ１ ＞ Ｗ ＞ Ｗ２ となるように設定される。このように設定されることにより、挟持部材４がフック部３の傾斜面１１に沿って下方にスライドすると、挟持部材４が傾斜面１１の下端までスライドする途中で、挟持部材４の挟持面１６と基部２前面との間隔がこの吊りひも２１の径Ｗより小さくなる。これにより、挟持部材４の挟持面１６と基部２前面との間に吊りひも２１を挟むことができる。
【００２４】
前記挟持面１６の下端には、前記吊りひも２１を掛けるための平行２本の吊りひも掛止部２２が前記挟持面１６に対して直角に設けられ、この吊りひも掛止部２２が前記基部２に向かって突き出している。この各吊りひも掛止部２２が前記基部２の各スライド孔８、８にそれぞれ差し込まれ、前記挟持部材４がフック部３の傾斜面１１に沿って上下方向にスライドすると、吊りひも掛止部２２が前記基部２のスライド孔８、８を上下方向に移動する。挟持部材４が傾斜面１１に沿って上端から下端までスライドする場合の挟持面１６の前後方向の移動距離、すなわち上記のW１−Ｗ２が、挟持部材４がフック部３の傾斜面１１の上端にある状態での吊りひも掛止部２２の先端から基部２背面までの距離Ｗ３よりも小さくなるように設定される（図５参照）。これにより、挟持部材４がフック部３の傾斜面１１の下端までスライドした場合に、その吊りひも掛止部２２が基部２の背面から突き出すことを防止できる。
【００２５】
前記スライド面１７には、図２に示すように、前記フック部３のスライド溝１３に嵌め合わされる係合部１８が設けられる。この係合部１８を前記フック部３のスライド溝１３に嵌め合わせることで、挟持部材４をフック部３の傾斜面１１に沿って上下方向にスライドさせることができる。この係合部１８の下端に前記ばね部材１５を装着するためのばね受け突起１９が設けられる（図３（ａ）参照）。
【００２６】
このばね部材１５は、前記挟持部材４の吊りひも掛止部２２に荷重が掛からない場合に、伸長して挟持部材４をフック部３の傾斜面１１の上端で保持させる。また、挟持部材４の吊りひも掛止部２２に荷重が掛かった場合には、前記ばね部材１５は収縮して前記の保持状態を解除させる。
【００２７】
物品吊り下げ具１は、以上のように構成されるものであり、次にその作用を説明する。
まず、壁面等に物品吊り下げ具１が固定穴５にねじやピンを打ち込むことにより固定される。このとき、前記フック部３のスライド溝１３に装着されたばね部材１５が伸長した状態であり、前記挟持部材４がフック部３の傾斜面１１の上端に保持されている。このため、挟持部材４の挟持面１６と前記基部２前面との間隔が前記吊りひも２１の径よりも大きく開放している。
【００２８】
次に、手などにより支えている物品の吊りひも２１を挟持部材４の挟持面１６と基部２前面との間に通して、吊りひも掛止部２２に掛ける。その後、物品を支えている手を離すことにより、この吊りひも２１に荷重が加わると、前記ばね部材１５が収縮するため、挟持部材４のフック部３の上端に保持された状態が解除され、図４（ｂ）に示すように、挟持部材４がフック部３の傾斜面１１に沿って下方にスライドする。この挟持部材４が傾斜面１１の下端までスライドする途中で、挟持部材４の挟持面１６と基部２前面とにより吊りひも２１が挟まれる。物品の重量が重ければ重いほど、挟持部材４が傾斜面１１の下端に近づくため、吊りひも２１に挟持部材４の挟持面１６が食い込み、吊りひも２１のずれを防止することができる。
【００２９】
また、吊りひも２１がフック部３内側の挟持部材４の吊りひも掛止部２２に掛けられる。これにより、物品吊り下げ具１を正面から見た際に、吊りひも２１がフック部３の前側に露出することがないため、美観が損なわれることがない。
【００３０】
さらに、吊り下げ対象となる物品に手を掛けるなどして、前記挟持部材４の吊りひも掛止部２２への荷重がなくなると、フック部３の内部に装着されたばね部材１５が伸長して挟持部材４が傾斜面１１に沿って上方にスライドし、吊りひも掛止部２２が基部２のストッパー９に当たり、フック部３の上端で保持される。これにより、前記基部２前面と挟持部材４の挟持面１６との間隔が吊りひも２１の径よりも大きくなり、容易に吊りひも２１を物品吊り下げ具１から外すことができる。
【００３１】
なお、この実施形態では、フック部３のスライド溝１３に挟持部材４の係合部１８を嵌め合わせるが、挟持部材４でフック部３を抱き込むようにしてもよい。
【図面の簡単な説明】
【００３２】
【図１】実施形態の物品吊り下げ具を示す斜視図
【図２】同上の物品吊り下げ具の分解斜視図
【図３】（ａ）図３（ｂ）のＡ−Ａにおける同上の物品吊り下げ具の断面図、（ｂ）同上の物品吊り下げ具の正面図、（ｃ）図３（ｂ）のＣ−Ｃにおける同上の物品吊り下げ具の断面図
【図４】（ａ）同上の物品吊り下げ具の使用時における斜視図、（ｂ）同上の物品吊り下げ具の使用時における断面図
【図５】同上の物品吊り下げ具の使用時における一部拡大断面図
【図６】（ａ）従来の物品吊り下げ具の使用時における斜視図、（ｂ）同上の物品吊り下げ具の使用時における断面図
【符号の説明】
【００３３】
１  物品吊り下げ具
２  基部
３  フック部
４  挟持部材
５  固定穴
６  ピン用固定穴
７  ねじ用固定穴
８  スライド孔
９  ストッパー
１０  盛上部
１１  傾斜面
１２  スリット
１３  スライド溝
１４  ばね受け突起
１５  ばね部材
１６  挟持面
１７  スライド面
１８  係合部
１９  ばね受け突起
２１  吊りひも
２２  吊りひも掛止部
３１  基部
３２  フック部
３３  軸
３４  挟持部材
３５  スリット
３６  ばね
３７  湾曲部
３８  吊りひも
【図１】
2006288817.tif 000003
【図２】
2006288817.tif 000004
【図３】
2006288817.tif 000005
【図４】
2006288817.tif 000006
【図５】
2006288817.tif 000007
【図６】
2006288817.tif 000008